(57)【要約】【課題】皮膚角層の特定成分を高精度で検出、測定することができる角層採取検出用キットを得る。【解決手段】一端部に使用者によって把持される把持部１２を有する棒状部分１１、この棒状部分１１の他端に連なる柱状部分１５、および柱状部分１５の周面に形成された粘着層１６からなる角層採取具１０と、上部に開口を有する有底の筒状容器であって、粘着層１６に採取された角層中の成分を抽出させる溶媒を収容し、この溶媒中に粘着層１６を浸漬可能に、前記開口から角層採取具１０の柱状部分１５を受容する溶媒容器２０と、溶媒中に粘着層１６が浸漬された後に溶媒容器２０の前記開口を閉じる蓋体１３、１４とからキットを構成する。そして溶媒の量を、該溶媒中に浸漬された粘着層１６の上端近傍に溶媒液面が位置するような量に設定する。【選択図】図４
2020073937.tif 000002
【特許請求の範囲】
【請求項１】
一端部に使用者によって把持される把持部を有する棒状部分、この棒状部分の他端に連なる柱状部分、および前記柱状部分の周面に形成された粘着層からなる角層採取具と、
上部に開口を有する有底の筒状容器であって、前記粘着層に採取された角層中の成分を抽出させる溶媒を収容し、この溶媒中に前記粘着層を浸漬可能に、前記開口から前記角層採取具の柱状部分を受容する溶媒容器と、
前記溶媒中に前記粘着層が浸漬された後に溶媒容器の前記開口を閉じる蓋体と、
からなる角層採取検出用キットにおいて、
前記溶媒の液面が、該溶媒中に浸漬された前記粘着層の上端近傍に位置するように、該溶媒の量が設定されていることを特徴とする角層採取検出用キット。
【請求項２】
前記溶媒容器または前記蓋体に閉栓状態を維持可能にして形成され、溶媒容器の中から前記溶媒を容器外に取り出すために開栓される溶媒取出口をさらに有する請求項１記載の角層採取検出用キット。
【請求項３】
前記溶媒容器の内部空間の筒軸方向に直交する面内の断面積が、前記開口が形成された部分におけるよりも、前記柱状部分を受け入れる部分においてより小とされている請求項１記載の角層採取検出用キット。
【請求項４】
前記溶媒容器の内部空間の筒軸方向に直交する面内の断面積が、前記開口が形成された部分におけるよりも、前記柱状部分を受け入れる部分においてより小とされている請求項２記載の角層採取検出用キット。
【請求項５】
前記把持部が前記蓋体を兼ねている請求項１から３いずれか１項記載の角層採取検出用キット。
【請求項６】
前記把持部が前記蓋体を兼ねている請求項４記載の角層採取検出用キット。
【請求項７】
前記溶媒容器内に挿入された前記角層採取具を、溶媒容器の内壁に前記粘着層が接触しないように位置決めするガイド手段を有する請求項１から３いずれか１項記載の角層採取検出用キット。
【請求項８】
前記溶媒容器内に挿入された前記角層採取具を、溶媒容器の内壁に前記粘着層が接触しないように位置決めするガイド手段を有する請求項５項記載の角層採取検出用キット。
【発明の詳細な説明】
【技術分野】
【０００１】
本発明は、皮膚の角層から特定の成分を検出するための角層採取検出用キットに関するものである。
【背景技術】
【０００２】
従来、例えば特許文献１、２および３に示されているように、皮膚の角層から特定の成分を検出し、その成分の測定量に基づいて皮膚の性状、すなわち肌荒れ状態、不全角化状態などを生化学的レベルで判定することが提案されている。こうして判定される皮膚性状としては、肌荒れ、例えば紫外線照射を原因とする皮膚老化、皮膚バリアー機能低下に伴う肌保湿力の低下による乾燥肌、乾癬やアトピー性皮膚炎を原因とする不全角化、花粉症による肌荒れなどが挙げられる。
【０００３】
より具体的に特許文献１、２には、皮膚角層細胞の扁平上皮細胞癌関連抗原（Ｓｑｕａｍｏｓ Ｃｅｌｌ Ｃａｒｃｉｎｏｍａ Ａｎｔｉｇｅｎ：以下「ＳＣＣＡ」という）、より詳しくはＳＣＣＡ−１および／またはＳＣＣＡ−２、特にＳＣＣＡ−１の発現を定量的あるいは定性的に測定して、肌の感受性・反応性・敏感の程度を判定することが示されている。
【０００４】
また特許文献３には、角層試料中の神経成長因子および／または神経栄養因子４の存在量を測定することで、皮膚疾患や敏感肌を検査することが示されている。
【０００５】
以上述べたようにして皮膚の性状を判定するためには、まず皮膚角層試料を採取することが必要となるが、特許文献１〜３には、いわゆるテープストリッピング法により皮膚角層試料を採取することが示されている。テープストリッピング法とは、皮膚表層に粘着テープ片を貼付してから剥がし、皮膚角層をその剥がした粘着テープに付着させることで角層試料を採取する方法である。
【先行技術文献】
【特許文献】
【０００６】
【特許文献１】特許第5059600号公報
【特許文献２】特開2007-279024号公報
【特許文献３】特開2004-028698号公報
【発明の概要】
【発明が解決しようとする課題】
【０００７】
上に述べたテープストリッピング法は簡便に実施できるものであるが、その半面、皮膚角層の特定成分を検出する精度の面で改善の余地が残されている。すなわち、皮膚角層を剥離、保持したテープ片は、皮膚角層の特定成分を抽出させる溶媒中に浸漬されるが、そのためには、ある程度多量の溶媒を何らかの容器に貯えておく必要がある。そして、そのように比較的多量の溶媒中に皮膚角層の特定成分を抽出させると、溶媒中の特定成分の濃度が比較的低くなってしまうので、特定成分の検出精度が損なわれやすいのである。
【０００８】
本発明は上記の事情に鑑みてなされたものであり、皮膚角層の特定成分を高精度で検出、測定することができる角層採取検出用キットを提供することを目的とする。
【課題を解決するための手段】
【０００９】
本発明による角層採取検出用キットは、
一端部に使用者によって把持される把持部を有する棒状部分、この棒状部分の他端に連なる柱状部分、および前記柱状部分の周面に形成された粘着層からなる角層採取具と、
上部に開口を有する有底の筒状容器であって、前記粘着層に採取された角層中の成分を抽出させる溶媒を収容し、この溶媒中に前記粘着層を浸漬可能に、前記開口から前記角層採取具の柱状部分を受容する溶媒容器と、
前記溶媒中に前記粘着層が浸漬された後に溶媒容器の前記開口を閉じる蓋体と、
からなる角層採取検出用キットにおいて、
溶媒の液面が、該溶媒中に浸漬された粘着層の上端近傍に位置するように、該溶媒の量が設定されていることを特徴とするものである。
【００１０】
ここで、本発明による角層採取検出用キットにおいては、溶媒容器または蓋体に閉栓状態を維持可能にして形成され、溶媒容器の中から前記溶媒を容器外に取り出すために開栓される溶媒取出口が設けられていることが望ましい。
【００１１】
また、本発明による角層採取検出用キットにおいては、溶媒容器の内部空間の筒軸方向に直交する面内の断面積が、前記開口が形成された部分におけるよりも、柱状部分を受け入れる部分においてより小とされていることが望ましい。
【００１２】
また、本発明による角層採取検出用キットにおいては、前記把持部が前記蓋体を兼ねていることが望ましい。
【００１３】
さらに、本発明による角層採取検出用キットにおいては、溶媒容器内に挿入された角層採取具を、溶媒容器の内壁に前記粘着層が接触しないように位置決めするガイド手段が設けられていることが望ましい。
【発明の効果】
【００１４】
本発明の角層採取検出用キットは、柱状部分の周面に形成された粘着層を、筒状容器である溶媒容器中に収容された溶媒中に浸漬させる構成とされているので、溶媒の量を、該溶媒と粘着層とが接触し得る範囲で必要最小限に抑えることが可能になる。より具体的に溶媒の量は、その液面が、該溶媒中に浸漬された粘着層の上端近傍に位置するように設定されている。つまり溶媒の量は、柱状部分の周面に形成された粘着層を外側から薄く取り囲む程度の量とすることができる。こうして溶媒容器中の溶媒の量が少なく抑えられていれば、検出、測定の対象である角層の特定成分は、比較的高濃度で該溶媒中に抽出されることになり、よって、この特定成分の検出、測定が高精度で行われるようになる。
【図面の簡単な説明】
【００１５】
【図１】本発明の第１の実施形態による角層採取検出用キットを示す斜視図
【図２】図１に示す角層採取検出用キットの使用方法を説明する概略図
【図３】図１に示す角層採取検出用キットの使用方法を説明する概略図
【図４】図１に示す角層採取検出用キットの使用時における一状態を示す斜視図
【図５】図１に示す角層採取検出用キットの使用時における別の状態を示す斜視図
【図６】本発明の第２の実施形態による角層採取検出用キットを示す斜視図
【図７】本発明の第３の実施形態による角層採取検出用キットを示す斜視図
【図８】図７に示す角層採取検出用キットの使用方法を説明する概略図
【図９】図７に示す角層採取検出用キットの使用時における一状態を示す斜視図
【図１０】図７に示す角層採取検出用キットの使用時における別の状態を示す斜視図
【図１１】本発明の第４の実施形態による角層採取検出用キットを示す斜視図
【図１２】図１１に示す角層採取検出用キットの使用方法を説明する概略図
【図１３】図１１に示す角層採取検出用キットの使用時における一状態を示す斜視図
【図１４】図１１に示す角層採取検出用キットの使用時における別の状態を示す斜視図
【図１５】本発明の第５の実施形態による角層採取検出用キットを示す斜視図
【図１６】図１５に示す角層採取検出用キットの使用方法を説明する概略図
【図１７】図１５に示す角層採取検出用キットの使用時における一状態を示す斜視図
【図１８】図１５に示す角層採取検出用キットの使用時における別の状態を示す斜視図
【図１９】本発明の第６の実施形態による角層採取検出用キットを示す斜視図
【図２０】図１９に示す角層採取検出用キットの一部を示す斜視図
【図２１】図１９に示す角層採取検出用キットの使用時における一状態を示す斜視図
【図２２】図１９に示す角層採取検出用キットの使用時における別の状態を示す斜視図
【図２３】図１９に示す角層採取検出用キットの使用時におけるさらに別の状態を示す斜視図
【発明を実施するための形態】
【００１６】
以下、図面を参照して本発明の実施形態を詳細に説明する。
【００１７】
《第１の実施形態》
図１は、本発明の第１の実施形態による角層採取検出用キット１を示す斜視図である。この角層採取検出用キット１は、被験者の皮膚から角層を採取するための角層採取具１０と、採取された角層中の特定成分を抽出させる溶媒（抽出液）を収容した溶媒容器２０とからなるものである。これらの角層採取具１０および溶媒容器２０は、後述する粘着層１６を除いて、基本的に例えば合成樹脂、例えばポリスチレン、ポリプロピレン、ポリエチレン、ＡＢＳ樹脂等を成型して形成されるが、それ以外の材料から形成されてもよい。
【００１８】
角層採取具１０は、一例として円柱状の棒状部分１１を有し、その一端部には使用者によって把持される把持部１２が取り付けられている。この把持部１２は、栓部１３とキャップ１４とから構成されている。栓部１３は概ね有底円筒状に形成され、下側つまり棒状部分１１側が開く一方、反対側（上部）が上底となって閉じられている。キャップ１４はそのヒンジ部１４ａを介して、揺動軸Ｃの回りに揺動自在に栓部１３に保持されている。キャップ１４の下端部と栓部１３の上端部とは、例えば一方に形成された係止溝と他方に形成された係止凸部（共に図示せず）とが係止するように構成されており、それにより、キャップ１４が栓部１３を覆った状態が維持される。なお、栓部１３の上底部は、図１ではキャップ１４に覆われて隠されているが、この栓部１３の上底部の構造については後に詳しく説明する。また円筒状の栓部１３の内周面には、溶媒容器２０に形成されている後述の雄ねじ２０ｂに螺合する雌ねじ（図示せず）が形成されている。また、棒状部分１１の他端に連なる状態にして、この棒状部分１１よりも若干大径とされた円柱状の柱状部分１５が形成されている。そしてこの柱状部分１５の外周面全面に、粘着層１６が形成されている。
【００１９】
上記粘着層１６は、柱状部分１５の外周面に直接粘着剤を塗布して、あるいはシート状の支持体上に粘着剤を塗布したものを柱状部分１５の外周面に貼り付けることによって形成されている。粘着剤の具体的な例としては、例えば、天然ゴム、ポリイソブチレンゴム、ポリブタジエンゴム、シリコンゴム、ポリイソプレンゴム、スチレン−イソプレン−スチレンブロック共重合体ゴム等の合成ゴム、ポリプロピレン樹脂、ポリスチレン樹脂、ポリアクリル酸エステル共重合体樹脂等の合成樹脂等が挙げられる。また、粘着付与剤としてロジン、水添ロジンおよびそのエステル、ポリテルペン樹脂、石油樹脂等を用いることもできる。また上記支持体の具体的な例としては、紙、スフ、綿、布、不織布、ポリエステル樹脂、ウレタン樹脂、ポリエチレン樹脂、エチレン−酢酸ビニル共重合体、軟質ポリ塩化ビニル等の各種樹脂からなるフィルム、アルミニウム箔等の単独もしくはそれらの複合体が挙げられるが、粘着剤や粘着付与剤、支持体はいずれもこれらに限定されるものではない。
【００２０】
一方、溶媒容器２０は図２にさらに詳しく示すように、上部に開口２０ａを有する細長い有底の筒状容器である。この開口２０ａの近くの上端近傍部分において、溶媒容器２０の周面には雄ねじ２０ｂが形成されている。また溶媒容器２０の高さ方向中央位置に近い部分は、テーパ部２０ｃとされている。このテーパ部２０ｃよりも下側の部分、すなわち、後述するようにして溶媒容器２０に角層採取具１０が組み込まれた際に角層採取具１０の柱状部分１５を収容する部分は、テーパ部２０ｃより上側の部分よりも内径が小さく設定されている。つまり、溶媒容器２０の内部空間の筒軸方向に直交する面内の断面積で考えると、上記開口２０ａが形成された部分におけるよりも、柱状部分１５を受け入れる部分の方が、断面積がより小さい状態となっている。
【００２１】
溶媒容器２０は、内部に溶媒を収容している。この溶媒は、後述のようにして角層採取具１０の粘着層１６に採取された角層中の特定成分を抽出させるものである。そして溶媒容器２０には、上記溶媒が流出することを防ぐ仮栓２１が組み付けられている。この仮栓２１は、上述した角層採取具１０の栓部１３と同様に、下側が開く一方、上側が上底となって閉じられた概ね有底円筒状の部材である。仮栓２１は、その内周面に形成された図示外の雌ねじを前記雄ねじ２０ｂに螺合させることによって、溶媒容器２０に組み付けられる。
【００２２】
なお一般に、以上述べた角層採取具１０および溶媒容器２０は、図示しない包装袋等に包装された状態で販売等に供される。
【００２３】
次に、本実施形態の角層採取検出用キット１の使用方法について説明する。検査に際して角層採取具１０は、図３に示すように例えば採取者の手Ｍによって把持部１２が把持されて取り扱われる。そして角層採取具１０は、被験者Ｈの検査対象部位の皮膚つまり例えば頬の皮膚に粘着層１６が押し付けられ、その状態で把持部１２を回転させ、つまりは粘着層１６を回転させることにより、粘着層１６の広い範囲に亘って、被験者Ｈの皮膚から角層が剥離、採取される。なお、角層の採取に先立ち皮膚の表層を洗浄し皮脂、汚れ、化粧等を除去してもよいが、必ずしも必須ではない。
【００２４】
角層が採取されると、次に図２に一点鎖線Ａで示すように、溶媒容器２０から仮栓２１が取り外され、開口２０ａが露出した状態とされる。この取り外しは、仮栓２１を回転させて雄ねじ２０ｂとの螺合を解くことによってなされる。なお、角層の採取に先行して仮栓２１が取り外されても構わない。
【００２５】
角層を粘着層１６に採取、保持している角層採取具１０は、図２に一点鎖線Ｂで示すように、その柱状部分１５から上記開口２０ａを通して、溶媒容器２０内に収められる。そして、栓部１３の内周面に形成されている前述の雌ねじを、溶媒容器２０に形成されている雄ねじ２０ｂと螺合させて、角質採取具１０と溶媒容器２０とが一体化される。
【００２６】
こうして角層採取具１０が溶媒容器２０内に収められた状態を図４に示す。この状態になったとき、角層採取具１０の粘着層１６は、溶媒容器２０に収められている溶媒中に浸漬される。またこの状態になったとき溶媒容器２０の開口２０ａは、角層採取具１０の栓部１３およびキャップ１４によって閉じられることになる。つまり、角層採取具１０の把持部１２を構成する栓部１３およびキャップ１４は、開口２０ａを閉じる蓋体としても作用する。
【００２７】
また、上記雌ねじと雄ねじとの螺合により角質採取具１０と溶媒容器２０とが一体化されたとき、角層採取具１０は、溶媒容器２０と同軸でかつ、粘着層１６が溶媒容器２０の内壁と接触しない状態にして該溶媒容器２０内に保持される。つまり上記雌ねじを有する栓部１３と、溶媒容器２０の雄ねじ２０ｂとは、溶媒容器２０内に角層採取具１０が挿入される際に、粘着層１６が溶媒容器２０の内壁と接触しないように角質採取具１０を案内するガイド手段として作用する。
【００２８】
なお、溶媒容器２０に収められる溶媒の量は、角層採取具１０が溶媒容器２０に収められた状態下で、該溶媒の液面が粘着層１６の上端近傍に位置するようになる量に設定されることが好ましく、そうすることにより、溶媒の量を必要最小限の量に抑えることができる。また、角層採取具１０は、溶媒容器２０の内周面との空隙が比較的小さくなるよう調整されれば、角層の特定成分を溶媒中に高濃度で抽出することが可能となるので好ましい。ここで、粘着層１６の上端に対して溶媒液面はより高くても、あるいはより低くてもよい。なお溶媒の量は、具体的には例えば１ｍＬ（ミリ・リットル）程度とされる。
【００２９】
角層採取具１０を溶媒容器２０に収め、所定温度に保たれた溶媒中に粘着層１６を所定時間浸漬させておくことにより、粘着層１６に採取、保持されていた角層の特定成分が該溶媒中に抽出される。なお、この種の溶媒としては、例えば、前述の特許文献１および２に示されているように皮膚角層細胞の扁平上皮細胞癌関連抗原（ＳＣＣＡ）の発現を測定して、被験者Ｈの肌の感受性・反応性・敏感の程度を生化学的レベルで判定する場合は、Tris-buffer を適用することができる。
【００３０】
以上の通りにして、溶媒中に粘着層１６を所定時間浸漬させた後、図５に示すようにキャップ１４が開かれて、溶媒Ｓが溶媒容器２０から取り出される。すなわち、有底円筒状の栓部１３の底部には溶媒取出口１３ａが形成されており、この溶媒取出口１３ａから溶媒Ｓが流出させられる。なお溶媒取出口１３ａは、栓部１３にキャップ１４が被着されることにより閉栓状態を維持可能であり、図５に示すようにキャップ１４が開かれたときだけ開栓される。
【００３１】
ここで、特にキャップ１４および溶媒取出口１３ａは設けずに、溶媒Ｓの取り出し時には栓部１３を溶媒容器２０から取り外し、そうして露出した開口２０ａから溶媒Ｓを流出させるようにしても構わない。
【００３２】
溶媒容器２０の外に取り出された溶媒Ｓは、抽出されたＳＣＣＡを測定する測定機器に供給される。ＳＣＣＡの測定は、公知の任意の方法を適用して、定量的または定性的に実施することができる。具体的には、ＳＣＣＡに特異的な抗体を利用する免疫測定方法、例えば酵素ラベルを利用するＥＬＩＳＡ法、放射性ラベルを利用するＲＩＡ法、免疫比濁法、ウェスタンブロット法、ラテックス凝集法、赤血球凝集法等、様々な方法が挙げられる。免疫測定法の方式には競合法やサンドイッチ法が挙げられる。
【００３３】
本実施形態の角層採取検出用キット１においては、前述した通り、溶媒容器２０中の溶媒の量が、必要最小限の量に抑えられている。そこで、検出、測定の対象である角層の特定成分は、比較的高濃度で該溶媒中に抽出されることになり、よって、この特定成分の検出、測定が高精度で行われるようになる。
【００３４】
また、本実施形態の角層採取検出用キット１においては、前述した通り、溶媒容器２０において開口２０ａが形成された部分におけるよりも、柱状部分１５を受け入れる部分の方が、断面積がより小さい状態とされている。それにより、柱状部分１５を受け入れる部分の容積は比較的小さくなるので、そこに収容させておく溶媒の量を、粘着層１６を浸漬可能な必要最小限の量とする上で有利となる。その一方、開口２０ａが形成された部分は比較的大径となるので、そこに組み合わせる把持部１２の外径も比較的大きくなり、この把持部１２が把持しやすくなる。
【００３５】
本実施形態の角層採取検出用キット１においては、棒状部分１１に対して柱状部分１５がより大径のものとされているが、それらを均一径の一本の部材から構成するようにしてもよい。また棒状部分１１および柱状部分１５は円柱状に形成する他、例えば四角柱状や六角柱状、さらにはそれらの形状で内部が中空とされたもの（例えば円管状や角管状）等に形成されてもよい。
【００３６】
なお、溶媒容器２０の柱状部分１５を受け入れる部分の容積を比較的小さくする上では、この部分の肉厚を大きくして、前述したテーパ部２０ｃを設けないようにしてもよい。しかしそうした場合は、溶媒容器２０の柱状部分１５を受け入れる部分の肉厚が不必要に大きくなって、溶媒容器２０を形成する例えば合成樹脂の使用量が徒に増大するので好ましくない。
【００３７】
本発明による角層採取検出用容器、及びキットは、上述したＳＣＣＡの測定に限らず、その他任意の皮膚性状に関する因子の存在量を測定するためのキットとして構成することも可能である。例えば、前述した特許文献３に示されているように、角層中の神経成長因子および／または神経栄養因子４の存在量を測定するキットとして構成することができる。その場合は、神経成長因子あるいは神経栄養因子４を抽出させるための溶媒として、慣用の生理学的緩衝液が適用可能である。特に好ましくは、例えばダルベッコのリン酸緩衝生理食塩水等が適用されるが、それらに限定されるものではない。
【００３８】
《第２の実施形態》
次に図６を参照して、本発明の第２の実施形態について説明する。なおこの図６において、既に説明したものと同等の要素には同番号を付してあり、それらについての説明は、特に必要の無い限り省略する（以下、同様）。
【００３９】
この第２の実施形態による角層採取検出用キット２は、図１および図２に示した角層採取検出用キット１と比べると、溶媒容器２０の開口２０ａを閉じる蓋体の構造が異なるものである。すなわちこの角層採取検出用キット２においては、角層採取具１０の栓部１３の上底部分に凸状の溶媒流出部１３ｂが形成され、この溶媒流出部１３ｂの内部に、上端面に開口した溶媒取出口１３ａが設けられている。溶媒流出部１３ｂにはキャップ１７が被着され、このキャップ１７によって溶媒取出口１３ａが閉栓されるようになっている。なお溶媒流出部１３ｂの外周面には雄ねじが形成される一方、キャップ１７の内周面には雌ねじが形成され、それらの両ねじが螺合されることにより、溶媒流出部１３ｂにキャップ１７が被着されるようになっている。
【００４０】
以上の構成を有する角層採取検出用キット２を用いる場合においても、角層採取具１０を用いた角層の採取および、角層採取具１０の溶媒容器２０への収容は、第１の実施形態の角層採取検出用キット１を用いる場合と同様になされる。そして、溶媒容器２０に収容されている溶媒に粘着層１６を浸漬させた後、溶媒を溶媒容器２０から取り出す際には、キャップ１７が回転されて前記両ねじの螺合が解かれ、キャップ１７が溶媒流出部１３ｂから取り外される。それにより、溶媒取出口１３ａが開栓された状態となり、そこから溶媒が溶媒容器２０の外に取り出される。
【００４１】
《第３の実施形態》
次に図７〜図１０を参照して、本発明の第３の実施形態について説明する。この第３の実施形態による角層採取検出用キット３は、図１および図２に示した角層採取検出用キット１と比べると、溶媒中に粘着層１６が浸漬された後に溶媒容器２０の開口２０ａを閉じる蓋体が、溶媒容器２０側に形成されている点で基本的に異なるものである。
【００４２】
すなわち図７に示すように、この角層採取検出用キット３を構成する角層採取具１０においては、棒状部分１１の一端側、つまり柱状部分１５と反対側に、図１に示した栓部１３と同様に有底の円筒状に形成された把持部３０が取り付けられている。角層採取具１０を用いた角層の採取時には、人の手によってこの把持部３０が把持されて該角層採取具１０が取り扱われる。
【００４３】
一方溶媒容器２０においては、図１に示した仮栓２１と同様に有底の円筒状に形成された栓部３１が取り付けられている。この栓部３１は、その内周面に形成された図示外の雌ねじを図８に示す雄ねじ２０ｂに螺合させることによって、溶媒容器２０の上部に取り付けられる。そしてこの栓部３１には、該栓部３１と共に上記蓋体を構成するキャップ３２が取り付けられる。キャップ３２の下端部と栓部３１の上端部とは、例えば一方に形成された係止溝と他方に形成された係止凸部（共に図示せず）とが係止するように構成されており、それにより、キャップ３２が栓部３１を覆った状態が維持される。また、栓部３１の外周面の一部には、押されると撓むことにより、該栓部３１とキャップ３２との係止解除を補助する係止解除部３１ａが設けられている。
【００４４】
以下、本実施形態の角層採取検出用キット３の使用方法について説明する。この角層採取検出用キット３を用いる場合においても、角層採取具１０を用いた角層の採取および、角層採取具１０の溶媒容器２０への収容は、第１の実施形態の角層採取検出用キット１を用いる場合と同様になされる。なお、角層採取具１０を溶媒容器２０へ収容するのに先立って、図８に一点鎖線Ａで示すように、栓部３１は溶媒容器２０の上部から取り外される。そして、同じく図８に一点鎖線Ｂで示すように角層採取具１０は、柱状部分１５から開口２０ａを通して、溶媒容器２０内に収められる。このときの状態を図９に示す。
【００４５】
以上の通りにして、溶媒容器２０内の溶媒に粘着層１６を所定時間浸漬させ、粘着層１６に採取、保持されている角層の特定成分を溶媒中に抽出させると、角層採取具１０は溶媒容器２０から取り出される。そして栓部３１が再度、溶媒容器２０の上部に取り付けられて、開口２０ａが閉じられる。
【００４６】
次いで図１０に示すように、栓部３１とキャップ３２との係止が解除されて、栓部３１からキャップ３２が取り外される。栓部３１の上底部には、溶媒取出口３１ｂが開口しており、キャップ３２が取り外されるとこの溶媒取出口３１ｂが開栓状態となる。この状態で溶媒容器２０が、その上部が下向きになる姿勢にされると、抽出された角層の特定成分を含む溶媒Ｓが、溶媒取出口３１ｂから溶媒容器２０の外に取り出される。
【００４７】
なお、本発明の角層採取検出用キットにおいて、溶媒容器２０は比較的高剛性の材料から形成されてもよいし、あるいは、比較的低剛性で可撓性の有る材料から形成されてもよい。後者のような材料から溶媒容器２０が形成されている場合は、溶媒取出口３１ｂがかなり小さくて溶媒Ｓがそこから流出し難くても、溶媒容器２０の外周面を内側に軽く押して変形させることにより、溶媒Ｓが円滑に流出するようになる。
【００４８】
《第４の実施形態》
次に図１１〜図１４を参照して、本発明の第４の実施形態について説明する。この第４の実施形態による角層採取検出用キット４は、図６に示した角層採取検出用キット２と比べると、溶媒中に粘着層１６が浸漬された後に溶媒容器２０の開口２０ａを閉じる蓋体が、溶媒容器２０側に形成されている点で基本的に異なるものである。
【００４９】
すなわち図１１に示すように、この角層採取検出用キット４を構成する角層採取具１０には、棒状部分１１の一端側、つまり柱状部分１５と反対側に、図１に示した栓部１３と同様に有底の円筒状に形成された把持部３０が取り付けられている。角層採取具１０を用いた角層の採取時には、人の手によってこの把持部３０が把持されて該角層採取具１０が取り扱われる。
【００５０】
一方溶媒容器２０には、有底の円筒状に形成された栓部４０が取り付けられている。この栓部４０は、その内周面に形成された図示外の雌ねじを図１２に示す雄ねじ２０ｂに螺合させることによって、溶媒容器２０の上部に取り付けられる。栓部４０の上底部分には凸状の溶媒流出部４０ｂが形成され、この溶媒流出部４０ｂの内部には、上端面に開口した溶媒取出口４０ａが設けられている。溶媒流出部４０ｂにはキャップ４２が被着され、このキャップ４２によって溶媒取出口４０ａが閉栓されるようになっている。なお溶媒流出部４０ｂの外周面には雄ねじが形成される一方、キャップ４２の内周面には雌ねじが形成され、それらの両ねじが螺合されることにより、溶媒流出部４０ｂにキャップ４２が被着される。
【００５１】
以下、本実施形態の角層採取検出用キット４の使用方法について説明する。この角層採取検出用キット４を用いる場合においても、角層採取具１０を用いた角層の採取および、角層採取具１０の溶媒容器２０への収容は、第１の実施形態の角層採取検出用キット１を用いる場合と同様になされる。なお、角層採取具１０を溶媒容器２０へ収容するのに先立って、図１２に一点鎖線Ａで示すように、栓部４０は溶媒容器２０の上部から取り外される。そして、同じく図１２に一点鎖線Ｂで示すように角層採取具１０は、柱状部分１５から開口２０ａを通して、溶媒容器２０内に収められる。このときの状態を図１３に示す。
【００５２】
以上の通りにして、溶媒容器２０内の溶媒に粘着層１６を所定時間浸漬させ、粘着層１６に採取、保持されている角層の特定成分を溶媒中に抽出させると、角層採取具１０は溶媒容器２０から取り出される。そして栓部４０が再度、溶媒容器２０の上部に取り付けられて、開口２０ａが閉じられる。
【００５３】
次いで図１４に示すように、溶媒流出部４０ｂとキャップ４２との螺合が解除されて、栓部４０からキャップ４２が取り外される。こうしてキャップ４２が取り外されると、溶媒取出口４０ａが開栓状態となる。この状態で溶媒容器２０が、その上部が下向きになる姿勢にされると、抽出された角層の特定成分を含む溶媒Ｓが、溶媒取出口４０ａから溶媒容器２０の外に取り出される。
【００５４】
《第５の実施形態》
次に図１５〜図１８を参照して、本発明の第５の実施形態について説明する。この第５の実施形態による角層採取検出用キット５は、図７〜図１０に示した角層採取検出用キット３と比べると、角層採取具１０において把持部３０が取り除かれている点で基本的に異なるものである。つまり本実施形態においては、棒状部分１１の一端部そのものが、角層採取具１０を把持するための把持部とされている。
【００５５】
以下、本実施形態の角層採取検出用キット５の使用方法について説明する。この角層採取検出用キット５を用いる場合においても、角層採取具１０を用いた角層の採取および、角層採取具１０の溶媒容器２０への収容は、第３の実施形態の角層採取検出用キット３を用いる場合と基本的に同様になされる。ただしこの場合、上述した通り角層採取具１０の把持は、棒状部分１１の一端部を把持することによってなされる。
【００５６】
角層採取具１０を溶媒容器２０へ収容するのに先立って、図１６に一点鎖線Ａで示すように、栓部３１は溶媒容器２０の上部から取り外される。そして、同じく図１６に一点鎖線Ｂで示すように角層採取具１０は、柱状部分１５から開口２０ａを通して、溶媒容器２０内に収められる。その後栓部３１が、溶媒容器２０の上部に再度取り付けられて、開口２０ａが閉じられる。このときの状態を図１７に示す。なお栓部３１の内部には、棒状部分１１に緩く嵌合するガイド部材（ガイド手段）が形成されており、この嵌合により角層採取具１０は、溶媒容器２０と同軸でかつ、粘着層１６が溶媒容器２０の内壁と接触しない状態にして該溶媒容器２０内に保持される。
【００５７】
以上の通りにして、溶媒容器２０内の溶媒に粘着層１６を所定時間浸漬させ、粘着層１６に採取、保持されている角層の特定成分を溶媒中に抽出させる。次いで図１８に示すように、栓部３１とキャップ３２との係止が解除されて、栓部３１からキャップ３２が取り外される。栓部３１の上底部には溶媒取出口３１ｂが開口しており、キャップ３２が取り外されるとこの溶媒取出口３１ｂが開栓状態となる。この状態で溶媒容器２０が、その上部が下向きになる姿勢にされると、抽出された角層の特定成分を含む溶媒Ｓが、溶媒取出口３１ｂから溶媒容器２０の外に取り出される。
【００５８】
《第６の実施形態》
次に図１９〜図２３を参照して、本発明の第６の実施形態について説明する。この第６の実施形態による角層採取検出用キット６は、図１９に示す通り、図１５に示したものと同様の角層採取具１０と、比較的細い有底円筒状の溶媒容器５０とから構成されたものである。
【００５９】
溶媒容器５０は図２０にも示す通り、上端にフランジ部５１を有している。このフランジ部５１は、側方に張り出したヒンジ部５１ａと、開口５１ｂとを有している。フランジ部５１の上記開口５１ｂは、角層採取具１０を受け入れるための、溶媒容器５０の開口として作用する。なおフランジ部５１を含む溶媒容器５０および後述する蓋体５２は、例えば合成樹脂から形成されている。
【００６０】
開口５１ｂの上には、蓋体５２が配設されている。この蓋体５２は側方に張り出したヒンジ部５２ａを有し、このヒンジ部５２ａと上記ヒンジ部５１ａとが、合成樹脂の折れ曲がりによるヒンジ結合を果たしている。それにより蓋体５２は、図１９に示すように開口５１ｂを閉じる閉蓋位置と、図２０に示すように開口５１ｂを露出させる開蓋位置とを取り得るようになっている。
【００６１】
蓋体５２の上面には、溶媒流出部５２ｂが形成されている。この溶媒流出部５２ｂは内部に後述する溶媒取出口５２ｅ（図２２および図２３参照）を有し、この溶媒取出口５２ｅの一端は蓋体５２に形成された図示外の連通孔を介して、蓋体５２の内面に開口している。また溶媒取出口５２ｅの他端は、角層採取検出用キット６の使用前は、溶媒流出部５２ｂと一体的に成型された剥離片５２ｃによって閉じられている。蓋体５２の内面には円筒状部分５２ｄが形成されており、蓋体５２が上記閉蓋位置に設定されたときは、この円筒状部分５２ｄが開口５１ｂ内にほぼ緊密に嵌合する。
【００６２】
以下、本実施形態の角層採取検出用キット６の使用方法について説明する。この角層採取検出用キット６を用いる場合においても、角層採取具１０を用いた角層の採取は、図１５に示した角層採取検出用キット５を用いる場合と同様にしてなされる。
【００６３】
粘着層１６に角層を採取、保持した角層採取具１０は、図２０に示すように蓋体５２が開蓋位置に設定された溶媒容器５０の中に、開口５１ｂを通して収容される。溶媒容器５０の中に角層採取具１０が収容されると、蓋体５２は閉蓋位置に設定され、開口５１ｂが閉じられる。このときの状態を図２１に示す。こうして、溶媒容器５０の中の溶媒に、角層を採取、保持している粘着層１６が浸漬される。なお円筒状部分５２ｄの内部には、棒状部分１１に緩く嵌合するガイド部材（ガイド手段）が形成されており、この嵌合により角層採取具１０は、溶媒容器２０と同軸でかつ、粘着層１６が溶媒容器２０の内壁と接触しない状態にして該溶媒容器２０内に保持される。
【００６４】
粘着層１６が溶媒中に所定時間浸漬されると、次に図２２に示すように、溶媒流出部５２ｂから剥離片５２ｃが剥離される。それにより、溶媒流出部５２ｂ内に形成されている溶媒取出口５２ｅが開栓した状態となる。なお溶媒流出部５２ｂは、溶媒容器５０内に保持される棒状部分１１から外れた位置に形成されている。
【００６５】
次いで図２３に示すように溶媒容器５０が、その上部が下向きになる姿勢にされると、抽出された角層の特定成分を含む溶媒Ｓが、溶媒取出口５２ｅから溶媒容器５０の外に取り出される。
【００６６】
なお角層採取具１０は、上に述べた溶媒容器２０あるいは５０と組み合わせて角層採取検出用キットを構成する他、単独で角層採取用に適用することも可能である。このような角質採取具１０を用いれば、公知のテープストリッピング法等と比べてより簡単な作業で角層を採取することが可能になる。
【符号の説明】
【００６７】
１、２、３、４、５、６  角層採取検出用キット
１０    角層採取具
１１    棒状部分
１２、３０    把持部
１３    栓部
１３ａ、３１ｂ、４０ａ、５２ｅ  溶媒取出口
１３ｂ、４０ｂ、５２ｂ  溶媒流出部
１４、１７、３２、４２    キャップ
１５    柱状部分
１６    粘着層
２０、５０    溶媒容器
２０ａ、５１ｂ    開口
３１、４０    栓部
３１ａ    係止解除部
５１    フランジ部
５１ａ、５２ａ    ヒンジ部
５２    蓋体
５２ｃ    剥離片
５２ｄ    円筒状部分
【図１】
2020073937.tif 000003
【図２】
2020073937.tif 000004
【図３】
2020073937.tif 000005
【図４】
2020073937.tif 000006
【図５】
2020073937.tif 000007
【図６】
2020073937.tif 000008
【図７】
2020073937.tif 000009
【図８】
2020073937.tif 000010
【図９】
2020073937.tif 000011
【図１０】
2020073937.tif 000012
【図１１】
2020073937.tif 000013
【図１２】
2020073937.tif 000014
【図１３】
2020073937.tif 000015
【図１４】
2020073937.tif 000016
【図１５】
2020073937.tif 000017
【図１６】
2020073937.tif 000018
【図１７】
2020073937.tif 000019
【図１８】
2020073937.tif 000020
【図１９】
2020073937.tif 000021
【図２０】
2020073937.tif 000022
【図２１】
2020073937.tif 000023
【図２２】
2020073937.tif 000024
【図２３】
2020073937.tif 000025